(57)【要約】【課題】ワイヤハーネス等の長尺材をフロアサイレンサに組付ける作業及び当該フロアサイレンサをフロアパネル上に配置する作業の作業性を向上させることができるフロアサイレンサを得る。【解決手段】フロアサイレンサ１６は、全体がマット状に形成されると共に折れ部３４を境に折れ曲がった形状に形成されたフロアサイレンサ本体２４と、このフロアサイレンサ本体２４の上面にワイヤハーネス１８を保持可能な長溝状に形成されると共に、溝上部４６が開放されてワイヤハーネス１８を挿入可能とされた長尺材保持部２６と、を備え、張出し部３６に溝上部の閉塞方向への荷重が作用することにより、折れ部３４を中心に弾性変形して長尺材保持部２６の溝上部４６が塞がれるように構成されている。【選択図】図２
2011240819.tif 000002
【特許請求の範囲】
【請求項１】
全体がマット状に形成されると共に折れ部を境に折れ曲がった形状に形成されたフロアサイレンサ本体と、
このフロアサイレンサ本体の上面に長尺材を保持可能な長溝状に形成されると共に、溝上部が開放されて長尺材を挿入可能とされた長尺材保持部と、
を備え、
折れ曲がった部分に溝上部の閉塞方向への荷重が作用することにより、折れ部を中心に弾性変形して前記長尺材保持部の溝上部が塞がれるように構成されている、
フロアサイレンサ。
【請求項２】
前記フロアサイレンサ本体における前記長尺材保持部の溝上部側には、当該溝上部を横断する方向へ張出した蓋が一体に形成されている、
ことを特徴とする請求項１記載のフロアサイレンサ。
【請求項３】
前記折れ部は、前記フロアサイレンサ本体の下面側であって前記長尺材保持部からずれた位置に設けられた薄肉部である、
ことを特徴とする請求項１又は請求項２記載のフロアサイレンサ。
【請求項４】
前記長尺材保持部は、前記フロアサイレンサ本体の幅方向一端側に設定されており、
前記折れ曲がった部分は、当該長尺材保持部から当該フロアサイレンサ本体の幅方向一端までの部分とされている、
ことを特徴とする請求項１〜請求項３のいずれか１項に記載のフロアサイレンサ。
【発明の詳細な説明】
【技術分野】
【０００１】
本発明は、フロアパネル上に配置されるフロアサイレンサに関する。
【背景技術】
【０００２】
下記特許文献１には、フロアサイレンサの下面側にワイヤハーネスを装着させた技術が開示されている。簡単に説明すると、フロアサイレンサの下面側にスリット付きの長溝が形成されており、フロアサイレンサをフロアパネル上にセットする前に予めワイヤハーネスをスリットから押し込んで長溝内へ装着させるようになっている。
【先行技術文献】
【特許文献】
【０００３】
【特許文献１】公開技報２００３−５０４４６５（２００３，７，３１発行）
【発明の概要】
【発明が解決しようとする課題】
【０００４】
しかしながら、上記先行技術による場合、フロアサイレンサの下面にスリットが形成されているため、フロアサイレンサをフロアパネル上に配置する作業中に、フロアサイレンサが湾曲してスリットが開き、ワイヤハーネスが長溝から脱落する可能性がある。この場合、ワイヤハーネスを長溝に装着する作業をやり直さなければならず、作業性が低下する。
【０００５】
本発明は上記事実を考慮し、ワイヤハーネス等の長尺材をフロアサイレンサに組付ける作業及び当該フロアサイレンサをフロアパネル上に配置する作業の作業性を向上させることができるフロアサイレンサを得ることが目的である。
【課題を解決するための手段】
【０００６】
請求項１記載の本発明に係るフロアサイレンサは、全体がマット状に形成されると共に折れ部を境に折れ曲がった形状に形成されたフロアサイレンサ本体と、このフロアサイレンサ本体の上面に長尺材を保持可能な長溝状に形成されると共に、溝上部が開放されて長尺材を挿入可能とされた長尺材保持部と、を備え、折れ曲がった部分に溝上部の閉塞方向への荷重が作用することにより、折れ部を中心に弾性変形して前記長尺材保持部の溝上部が塞がれるように構成されている。
【０００７】
請求項２記載の本発明に係るフロアサイレンサは、請求項１記載の発明において、前記フロアサイレンサ本体における前記長尺材保持部の溝上部側には、当該溝上部を横断する方向へ張出した蓋が一体に形成されている、ことを特徴としている。
【０００８】
請求項３記載の本発明に係るフロアサイレンサは、請求項１又は請求項２記載の発明において、前記折れ部は、前記フロアサイレンサ本体の下面側であって前記長尺材保持部からその溝幅方向にずれた位置に設けられた薄肉部である、ことを特徴としている。
【０００９】
請求項４記載の本発明に係るフロアサイレンサは、請求項１〜請求項３のいずれか１項に記載の発明において、前記長尺材保持部は、前記フロアサイレンサ本体の幅方向一端側に設定されており、前記折れ曲がった部分は、当該長尺材保持部から当該フロアサイレンサ本体の幅方向一端までの部分とされている、ことを特徴としている。
【００１０】
請求項１記載の本発明によれば、長尺材の組付前の状態では、フロアサイレンサ本体は自然状態の形状、つまり折れ部を境に折れ曲がった形状で存在している。この状態で、長尺材が長尺材保持部に溝上部から挿入される。このとき、溝上部は長尺材が挿入可能に開放されているため、摩擦抵抗が殆どないか全くない。このため、長尺材のフロアサイレンサ本体への組付作業性は非常に良い。
【００１１】
続いて、長尺材が長溝状の長尺材保持部に挿入された状態のフロアサイレンサ本体をフロアパネル上に配置させる。このとき、長尺材保持部はフロアサイレンサ本体の上面側に形成されているため、先行技術のようにフロアサイレンサ本体をフロアパネル上へ運ぶ際に、長尺材が長尺材保持部から脱落して、長尺材の組付作業をやり直すといった手間は生じない。
【００１２】
また、フロアサイレンサ本体をフロアパネル上に載置すると、フロアサイレンサ本体は折れ部を境に折れ曲がった形状とされているため、フロアサイレンサ本体の折れ曲がった部分がフロアパネルの上面又はフロアパネルに隣接する車体パネルに当たる。これにより、当該折れ曲がった部分には、フロアパネルの上面又はフロアパネルに隣接する車体パネルからの反力が、溝上部の閉塞方向に作用する。このため、フロアサイレンサ本体は折れ部を中心に弾性変形する。この動作に伴い、長尺材保持部の溝上部が塞がれて、長尺材が長尺材保持部に安定した状態で保持される。このように長尺材保持部の溝上部は、フロアサイレンサ本体をフロアパネル上に載置するだけで、フロアパネルの上面又はフロアパネルに隣接する車体パネルから反力を得て塞がれるので、特別な作業を要しない。
【００１３】
上記より、本発明によれば、長尺材をフロアサイレンサ本体の長尺材保持部に組付ける際の作業性が非常に良く、その後のフロアサイレンサ本体のフロアパネル上への組付時においてもフロアサイレンサ本体をフロアパネル上に配置する作業以外の特段の作業をする必要がない。
【００１４】
請求項２記載の本発明によれば、長尺材保持部の溝上部側に当該溝上部を横断する方向へ張出す蓋が一体に形成されているため、フロアサイレンサ本体が自然状態のときには蓋が開放されて、フロアサイレンサ本体がフロアパネル上に載置されると蓋が閉止される。このように本発明では、フロアサイレンサ本体の状態に応じて長尺材保持部の溝上部が蓋によって自動的に開閉される。
【００１５】
請求項３記載の本発明によれば、折れ部が薄肉部として構成されており、かつフロアサイレンサ本体の下面側であって長尺材保持部からその溝幅方向にずれた位置に設けられているため、折れ部である薄肉部を長尺材保持部の真下に設ける場合に比し、以下の点で有利である。
【００１６】
まず、薄肉部を長尺材保持部の真下に設けると、長尺材保持部の底部側の肉が薄くなるため、長尺材を保護するためのクッション性が低下する。これに対し、本発明構造にすることにより、長尺材保持部の底部側にある程度の肉が残される。このため、長尺材に対するクッション性を確保できる。
【００１７】
また、薄肉部を長尺材保持部の真下に設けた場合、長尺材を長尺材保持部の溝上部から擦ることなく円滑に挿入できるようにするべく、折れ部が長尺材保持部からその溝幅方向にずれた位置に設けた本発明と同様の溝幅を確保しようとすると、折れ曲がった部分をより大きく折り曲げる必要がある。そうした場合、折れ曲がった部分はフロアサイレンサ本体に対して垂直に立った状態に近づいていき、フロアサイレンサ本体をフロアパネル上に載置した際に、当該折れ曲がった部分がフロアパネル上に略垂直に当接し、弾性変形を阻害する可能性がある。これに対し、本発明構造によれば、折れ部が長尺材保持部からその溝幅方向にずれた位置に設けられるので、フロアサイレンサ本体に対する折れ曲がった部分の折り曲げ角度がより鈍角になる。従って、折れ曲がった部分がフロアパネル上に略垂直に当たることがなく、円滑に弾性変形が行われる。
【００１８】
請求項４記載の本発明によれば、フロアサイレンサ本体の幅方向一端側に長尺材保持部が設定されており、折れ曲がった部分は長尺材保持部からフロアサイレンサ本体の幅方向一端までの部分とされている。ここで、一般にフロアパネルの車両幅方向端部はロッカの縦壁に接合されているため、フロアサイレンサ本体をフロアパネル上に載置する際に、折れ曲がった部分をロッカの縦壁に当てながら載置させると、当該折れ曲がった部分がロッカの縦壁に押されて長尺材保持部が自動的に塞がる。
【発明の効果】
【００１９】
以上説明したように、請求項１記載の本発明に係るフロアサイレンサは、ワイヤハーネス等の長尺材をフロアサイレンサに組付ける作業及び当該フロアサイレンサをフロアパネル上に配置する作業の作業性を向上させることができるという優れた効果を有する。
【００２０】
請求項２記載の本発明に係るフロアサイレンサは、長尺材保持部の溝上部の開閉を作業を伴うことなく自動的に行わせることができるので作業性を向上させることができるという優れた効果を有する。
【００２１】
請求項３記載の本発明に係るフロアサイレンサは、長尺材の保護性能を確保することができると共に、フロアサイレンサ本体をフロアパネル上に載置した際に長尺材保持部の溝上部を塞ぐための動作を円滑に行わせることができるという優れた効果を有する。
【００２２】
請求項４記載の本発明に係るフロアサイレンサは、フロアパネルへの組付と同時に長尺材保持部を塞ぐことができ、更に作業性を向上させることができるという優れた効果を有する。
【図面の簡単な説明】
【００２３】
【図１】第１実施形態に係るフロアサイレンサをフロアパネルとの関係で示す全体斜視図である。
【図２】図１に示されるフロアサイレンサの一枚を取り出して拡大した斜視図である。
【図３】図２に示されるフロアサイレンサの要部を別の角度から拡大して示す要部拡大斜視図である。
【図４】フロアサイレンサのフロアパネルへの組付時の様子を示す作動説明図であり、（Ａ）は組付前の状態の縦断面図、（Ｂ）は組付途中の状態の縦断面図、（Ｃ）は組付後の状態の縦断面図である。
【図５】（Ａ）は第２実施形態に係るフロアサイレンサの組付前の状態を示す縦断面図であり、（Ｂ）は当該フロアサイレンサのフロアパネルへの組付後の状態を示す縦断面図である。
【図６】第２実施形態の効果を説明するための説明図に係り、（Ａ）は第２実施形態に係るフロアサイレンサの組付前の状態を示す縦断面図であり、（Ｂ）は対比例に係るフロアサイレンサの組付前の状態を示す縦断面図である。
【図７】（Ａ）は第３実施形態に係るフロアサイレンサの組付前の状態を示す縦断面図であり、（Ｂ）は当該フロアサイレンサのフロアパネルへの組付後の状態を示す縦断面図である。
【図８】（Ａ）は第４実施形態に係るフロアサイレンサの組付前の状態を示す縦断面図であり、（Ｂ）は当該フロアサイレンサのフロアパネルへの組付後の状態を示す縦断面図である。
【発明を実施するための形態】
【００２４】
〔第１実施形態〕
以下、図１〜図４を用いて、本発明に係るフロアサイレンサの第１実施形態について説明する。なお、これらの図において適宜示される矢印ＦＲは車両前方側を示しており、矢印ＵＰは車両上方側を示しており、矢印ＩＮは車両幅方向内側を示している。
【００２５】
図１に示されるように、フロアパネル１０の車両幅方向中間部には、車両上方側へ膨出する断面ハット状のトンネル部１２が車両前後方向に沿って延在されている。また、フロアパネル１０の車両前後方向の中間部には、断面ハット状のクロスメンバ１４が車両幅方向に沿って延在されている。上記トンネル部１２及びクロスメンバ１４は平面視で十字状に配置されており、これによりフロアパネル１０の上面は各々矩形状に形成された４つの領域Ｓ１〜Ｓ４に区画されている。
【００２６】
上記フロアパネル１０の上面における領域Ｓ１〜Ｓ４には、平面視で各々略矩形状に形成されたマット状のフロアサイレンサ１６がそれぞれ配置されるようになっている。前後に対向する二組のフロアサイレンサ１６には、端部にコネクタ２０が取り付けられた長尺材としてのワイヤハーネス１８がそれぞれ架け渡されて保持されている。さらに、これらのフロアサイレンサ１６上には、フロアカーペット２２が敷設されるようになっている。
【００２７】
次に、本実施形態の要部であるフロアサイレンサ１６の構造について詳細に説明する。図２及び図３に示されるように、フロアサイレンサ１６は、平面視で略矩形状に形成されると共に全体がマット状に形成されたフロアサイレンサ本体２４と、このフロアサイレンサ本体２４の長手方向に沿って設けられた長溝状の長尺材保持部２６と、を含んで構成されている。なお、フロアサイレンサ１６は、ウレタンフォーム等のウレタン系材、繊維系材等の樹脂材料を使った樹脂成形によって設けられている。
【００２８】
より具体的に説明すると、フロアサイレンサ本体２４は、平面視で矩形状に形成された基部３２と、この基部３２の車両幅方向外側の端部から長尺材保持部２６及び折れ部３４を介して車両幅方向外側へ張り出された張出し部３６と、によって構成されている。なお、張出し部３６が本発明における「折れ曲がった部分」に相当する。
【００２９】
長尺材保持部２６は、基部３２の車両幅方向外側の端部に隣接する位置、つまり基部３２の車両幅方向外側の端部と張出し部３６との間に形成されている。図２〜図４に示されるように、長尺材保持部２６は、略Ｊ字状の断面形状とされており、半円形状の受け部２６Ａと、この受け部２６Ａの内周面の車両幅方向内側の端部から接線方向である車両上下方向へ延出された縦壁部２６Ｂと、を備えている。なお、長尺材保持部２６の受け部２６Ａの内径はワイヤハーネス１８の外径に略一致されており、長尺材保持部２６の受け部２６Ａにワイヤハーネス１８が保持可能とされている。また、基部３２の車両幅方向外側の端部には、長尺材保持部２６の縦壁部２６Ｂに隣接して段差部３８が一体に形成されている。つまり、長尺材保持部２６の長手方向に見て、車両幅方向外側から受け部２６Ａ、縦壁部２６Ｂ、段差部３８の順に並んで配置（連接）されている。なお、段差部３８の高さは、後述する張出し部３６の先端部３６Ｂ１の厚さに略一致されている。
【００３０】
折れ部３４は、長尺材保持部２６の受け部２６Ａの車両幅方向外側に隣接して配置された薄肉部として構成されている。つまり、折れ部３４は、長尺材保持部２６と張出し部３６との間に設けられている。また、折れ部３４は、長尺材保持部２６と張出し部３６との接続部位に断面形状がＵ字状とされた所定深さのノッチ４０を形成することにより設けられている。フロアサイレンサ本体２４は、この折れ部３４を境に折れ曲がった形状に形成されている。
【００３１】
張出し部３６は、互いに略直交する方向へ延出された縦壁部３６Ａと蓋としての横壁部３６Ｂとによって構成されており、全体としては略Ｌ字状に形成されている。縦壁部３６Ａは、フロアサイレンサ１６の自然状態（図１〜図３及び図４（Ａ）に示される状態）において、水平面（組付状態ではフロアパネル１０の上面）から所定角度起き上がった状態で延出されている。なお、この「所定角度」とは、フロアパネル１０への組付時に、張出し部３６がロッカ４２の内壁部４２Ａに干渉することができ、しかも組付後の状態では内壁部４２Ａに面接触状態で当接して当該内壁部４２Ａから車両幅方向内側への反力を受けることができる角度である。図４（Ａ）に示されるように、水平面に対して張出し部３６の外側面までの角度をθとすると、θは３０度から６０度までの範囲に設定されるのが好ましい。
【００３２】
また、横壁部３６Ｂは、前述した段差部３８に載置される先端部３６Ｂ１と、この先端部３６Ｂ１から折れ部３４へ向って徐々に厚肉化される根元部３６Ｂ２と、によって構成されている。根元部３６Ｂ２の傾斜面４４はノッチ４０に繋がっており、先端部３６Ｂ１が段差部３８に係合された場合に、長尺材保持部２６の溝上部４６を上方から塞ぐようになっている。
【００３３】
（本実施形態の作用・効果）
次に、本実施形態の作用並びに効果を説明する。
【００３４】
最初に、組付手順について説明する。図２、図３及び図４（Ａ）に示されるように、組付前の状態では、フロアサイレンサ１６のフロアサイレンサ本体２４は、自然状態で存在している。すなわち、張出し部３６が折れ部３４を境に折れ曲がった形状で存在している。この状態のときには、横壁部３６Ｂが長尺材保持部２６の溝上部４６から退避されており、長尺材保持部２６の溝上部４６は完全に開放されている。この状態で、ワイヤハーネス１８が長尺材保持部２６に溝上部４６から挿入される。このとき、溝上部４６はワイヤハーネス１８が挿入可能に開放されているため、摩擦抵抗が殆どないか全くない。このため、ワイヤハーネス１８のフロアサイレンサ本体２４への組付作業性は非常に良い。
【００３５】
続いて、ワイヤハーネス１８が長溝状の長尺材保持部２６に挿入された状態の前後一対のフロアサイレンサ本体２４が、フロアパネル１０上の領域Ｓ１、Ｓ２にそれぞれ載置される。同様に、もう一組の前後一対のフロアサイレンサ本体２４の長尺材保持部２６にワイヤハーネス１８を挿入し、フロアパネル１０上の領域Ｓ３、Ｓ４にそれぞれ載置される。この作業の際には、長尺材保持部２６はフロアサイレンサ本体２４の上面側に形成されているため、先行技術のようにフロアサイレンサ本体をフロアパネル上へ運ぶ際に、ワイヤハーネスが長尺材保持部から脱落して、ワイヤハーネスの組付作業をやり直すといった手間は生じない。
【００３６】
また、フロアサイレンサ１６をフロアパネル１０上に載置すると、フロアサイレンサ本体２４が折れ部３４を境に折れ曲がった形状とされているため、フロアサイレンサ本体２４の張出し部３６がフロアパネル１０に隣接するロッカ４２の内壁部４２Ａに干渉して押される。
【００３７】
この過程を図４を用いて詳細に説明する。まず、図４（Ａ）に示されるように、フロアサイレンサ１６は、自然状態では、張出し部３６が水平面から所定角度∠θだけ起き上がった状態で存在している。この状態のフロアサイレンサ１６が図４（Ｂ）に示されるようにフロアパネル１０上に降りてくると、張出し部３６の縦壁部３６Ａの外側面がロッカ４２の内壁部４２Ａの上端部４２Ｂに干渉する。この状態から更にフロアサイレンサ１６をフロアパネル１０の上面へ降ろしていくと、ロッカ４２の内壁部４２Ａの上端部４２Ｂが張出し部３６の縦壁部３６Ａの外側面上を相対的に摺動していく。この過程で、張出し部３６の縦壁部３６Ａはロッカ４２の内壁部４２Ａの上端部４２Ｂから溝上部４６の閉塞方向(張出し部３６の折り曲げ方向であり、車両幅方向内側）への反力を受ける。これにより、張出し部３６は、折れ部３４を中心にして図４（Ｂ）において時計方向へ弾性変形しながら回動していく。そして、図４（Ｃ）に示されるように、フロアサイレンサ１６がフロアパネル１０の上面に完全に載置された状態では、張出し部３６の横壁部３６Ｂの先端部３６Ｂ１が基部３２の段差部３８に係合し、長尺材保持部２６の溝上部４６が横壁部３６Ｂによって塞がれる。また、縦壁部３６Ａの外側面はロッカ４２の内壁部４２Ａの車室内側の面に面接触状態で当接し、長尺材保持部２６が横壁部３６Ｂで閉じられた状態が維持される。なお、すべてのフロアサイレンサ１６をフロアパネル１０の上面に配置させた後、フロアカーペット２２が敷設される。
【００３８】
上記により、長尺材保持部２６が閉鎖空間となり、ワイヤハーネス１８が長尺材保持部２６に安定した状態で保持される。なお、ここでいう「安定した状態で」とは、ワイヤハーネス１８の外周面を周方向に異なる複数の点（又は面）で拘束し、不用意にワイヤハーネス１８が径方向へ移動しない状態をいう。本実施形態では、ワイヤハーネス１８の外周面を、受け部２６Ａの内周面とこれに連続する縦壁部２６Ｂの下部側の面と張出し部３６の横壁部３６Ｂの傾斜面４４の三面で、ワイヤハーネス１８を拘束している。
【００３９】
このように長尺材保持部２６の溝上部４６は、フロアサイレンサ１６をフロアパネル１０上に載置するだけで、フロアパネル１０に隣接するロッカ４２の内壁部４２Ａから反力を得て塞がれるので、特別な作業を要しない。
【００４０】
上記より、本実施形態によれば、ワイヤハーネス１８をフロアサイレンサ本体２４の長尺材保持部２６に組付ける際の作業性が非常に良く、その後のフロアサイレンサ本体２４のフロアパネル１０上への組付時においてもフロアサイレンサ本体２４をフロアパネル１０上に配置する作業以外の特段の作業をする必要がない。その結果、本実施形態によれば、ワイヤハーネス１８等の長尺材をフロアサイレンサ１６に組付ける作業及び当該フロアサイレンサ１６をフロアパネル１０上に配置する作業の作業性を向上させることができる。
【００４１】
また、長尺材保持部２６の溝上部４６側に当該溝上部４６を横断する方向へ張出す横壁部３６Ｂが一体に形成されているため、フロアサイレンサ本体２４が自然状態のときには横壁部３６Ｂが開放されて、フロアサイレンサ本体２４がフロアパネル１０上に載置されると横壁部３６Ｂが閉止される。このように本実施形態では、フロアサイレンサ本体２４の状態に応じて長尺材保持部２６の溝上部４６が横壁部３６Ｂが蓋になることによって自動的に開閉される。その結果、本実施形態によれば、長尺材保持部２６の溝上部４６の開閉を何ら作業を伴うことなく自動的に行わせることができるので作業性を向上させることができる。また、横壁部３６Ｂを蓋として機能させることにより、乗員がフロアカーペット２２の上からワイヤハーネス１８を踏んだり、荷物を載せた際に、横壁部３６Ｂがクッションになる。このため、ワイヤハーネス１８を保護することができる。
【００４２】
さらに、図４を用いて詳細に説明したように、本実施形態では、長尺材保持部２６がフロアサイレンサ本体２４の幅方向一端側に設定されており、張出し部３６は長尺材保持部２６からフロアサイレンサ本体２４の幅方向一端までの部分とされている。ここで、一般にフロアパネル１０の車両幅方向端部はロッカ４２の内壁部（縦壁）４２Ａに接合されているため、フロアサイレンサ本体２４をフロアパネル１０上に載置する際に、張出し部３６の縦壁部３６Ａをロッカ４２の内壁部４２Ａに当てながら載置させると、張出し部３６がロッカ４２の内壁部４２Ａに押されて長尺材保持部２６が自動的に塞がる。その結果、本実施形態によれば、フロアパネル１０への組付と同時に長尺材保持部２６の溝上部を塞ぐことができ、（長尺材保持部２６の溝上部４６を塞ぐ作業を手作業で行う必要がないという意味で）更に作業性を向上させることができる。
【００４３】
〔第２実施形態〕
以下、図５及び図６を用いて、本発明に係るフロアサイレンサの第２実施形態について説明する。なお、前述した第１実施形態と同一構成部分については、同一番号を付してその説明を省略する。
【００４４】
図５（Ａ）、（Ｂ）に示されるように、この第２実施形態では、フロアサイレンサ５０のフロアサイレンサ本体５２の形状が前述した第１実施形態とは異なっている。具体的には、フロアサイレンサ本体５２は、第１実施形態と同様構成の基部３２と、この基部３２の車両幅方向外側の端部から長尺材保持部２６及び折れ部３４を介して車両幅方向へ張り出された「折れ曲がった部分」としての張出し部５４と、を備えている。張出し部５４の張出し方向（延出方向）は、車両幅方向外側でかつ車両下方側とされている。また、長手方向と直交する方向に切断したときの縦断面形状も、第１実施形態の張出し部３６のように複雑な形状はしておらず、概ね上底の方が下底よりも長い台形状の断面形状とされている。
【００４５】
（作用・効果）
上記構成によっても、前述した第１実施形態と同様の作用並びに効果が得られる。但し、この断面形状のフロアサイレンサ５０の場合、張出し部５４をロッカ４２の内壁部４２Ａに当てるのではなく、フロアパネル１０の上面に張出し部５４の下端部５４Ａを当てる。具体的には、図５（Ａ）に自然状態のフロアサイレンサ５０をフロアパネル１０上に載置せると、最初に張出し部５４の下端部５４Ａがフロアパネル１０の上面に当接し、更にフロアサイレンサ５０を降ろしていくと、フロアサイレンサ５０の自重により、フロアパネル１０の上面から反力を受けて折れ部３４を中心に張出し部５４が溝上部４６の閉塞方向(張出し部５２の折り曲げ方向と反対方向であり、時計方向）へ回動される。そして、図５（Ｂ）に示されるように、フロアサイレンサ５０をフロアパネル１０の上面に完全に載置させた状態では、張出し部５４の先端部５４Ｂが段差部３８に係合され、長尺材保持部２６の溝上部４６が傾斜面５４Ｃによって閉塞される。なお、フロアカーペット２２の敷設後は、フロアサイレンサ５０の自重の作用に加えてフロアカーペット２２の自重も作用する。従って、本実施形態においても、前述した第１実施形態と同様の作用並びに効果が得られる。
【００４６】
さらに、折れ部３４が薄肉部として構成されており、かつ折れ部３４がフロアサイレンサ本体５２の下面側であって長尺材保持部２６から車両幅方向外側にずれた位置に設けられているため、図６（Ｂ）に示されるフロアサイレンサ５６のように折れ部３４である薄肉部を長尺材保持部２６の真下に設ける場合に比し、以下の点で有利である。
【００４７】
まず、折れ部３４を長尺材保持部の真下に設けると、長尺材保持部２６の底部側の肉が薄くなるため（即ち、図６（Ａ）の本実施形態の場合の長尺材保持部２６の底部側の肉厚ｔ１＞図６（Ｂ）に示される対比例の場合の長尺材保持部２６の底部側の肉厚ｔ２）、ワイヤハーネス１８を保護するためのクッション性が低下する。これに対し、折れ部３４が長尺材保持部２６の車両幅方向外側にずれた位置に配置されている本実施形態の構造にすることにより、長尺材保持部２６の底部側にある程度の肉が残される。このため、ワイヤハーネス１８に対するクッション性を確保できる。
【００４８】
また、折れ部３４を長尺材保持部２６の真下に設けた場合、ワイヤハーネス１８を長尺材保持部２６の溝上部４６から擦らずに挿入できるようにするべく、図６（Ａ）に示される本実施形態の構造と同様の溝上部４６の開口幅Ｂを確保しようとすると、図６（Ｂ）に示されるように、張出し部５４をより大きく折り曲げる必要がある。そうした場合、張出し部５４はフロアサイレンサ本体５２に対して垂直に立った状態に近づいていくので、フロアサイレンサ本体５２をフロアパネル１０上に載置した際に、当該張出し部５４がフロアパネル１０上に略垂直に当接し、弾性変形を阻害する。これに対し、本実施形態の構造によれば、折れ部３４が長尺材保持部２６からその車両幅方向外側にずれた位置に設けられるので、フロアサイレンサ本体２４に対する張出し部５４の折り曲げ角度∠δ１がより鈍角になる（即ち、図６（Ａ）に示される本実施形態の場合の基部３２に対する張出し部５４のなす角度∠δ１＞図６（Ｂ）に示される対比例の場合の基部３２に対する張出し部５４のなす角度∠δ２）。従って、張出し部５４がフロアパネル１０上に略垂直に当たることがなく、円滑に弾性変形が行われる。
【００４９】
上記より、本実施形態によれば、ワイヤハーネス１８の保護性能を確保することができると共に、フロアサイレンサ本体５２をフロアパネル１０上に載置した際に長尺材保持部２６の溝上部４６を塞ぐための動作を円滑に行わせることができる。なお、説明の便宜上、上記効果を第２実施形態中において説明したが、第１実施形態と第２実施形態の違いは張出し部３６、５４が車両幅方向外側の上方へ延出されているか下方へ延出されているかの違いであるため、上記効果は、前述した第１実施形態においても全く同様に得られる。
【００５０】
〔第３実施形態〕
以下、図７を用いて、本発明に係るフロアサイレンサの第３実施形態について説明する。なお、前述した第１実施形態等と同一構成部分については、同一番号を付してその説明を省略する。
【００５１】
図７（Ａ）に示されるように、この第３実施形態に係るフロアサイレンサ６０においても、基部６４と張出し部６６でフロアサイレンサ本体６２が構成されているが、前述した第１実施形態とは異なり、折れ部６８が長尺材保持部７０の真下に設定されている。従って、その意味では、前述した図６（Ｂ）に示される対比例と同様の構成といえる。
【００５２】
また、この第３実施形態に係るフロアサイレンサ６０では、長尺材保持部７０の長溝の断面形状が二つの円を中心をずらして重ねた形になっており、基部６４側と張出し部６６側とに跨って形成されている。以下、長尺材保持部７０における基部６４側に形成された略半円形部分を「基部側溝部７０Ａ」と称し、張出し部６６側に形成された略半円形部分を「張出し部側溝部７０Ｂ」と称す。
【００５３】
さらに、張出し部６６における張出し部側溝部７０Ｂの上端部は長尺材保持部７０を横断する方向である基部側溝部７０Ａの上端部側へ庇状に延出されており、長尺材保持部７０の溝上部７４を開閉する蓋部７４を構成している。なお、基部側溝部７０Ａの上端部７６も、張出し部側溝部７０Ｂに接近する方向へ若干延出されている。
【００５４】
（作用・効果）
上記構成によれば、前述した第１実施形態と同様の要領でワイヤハーネス１８が長尺材保持部７０に組付けられる。すなわち、図７（Ａ）に示される状態（フロアサイレンサ本体６２の自然状態）のときにワイヤハーネス１８が長尺材保持部７０に組付けられる。次いで、この状態のフロアサイレンサ６０をフロアパネル１０の上面に載置させる。このとき、張出し部６６の下端部６６Ａがフロアパネル１０の上面に最初に接触し、更にフロアサイレンサ６０を降ろしていくと、張出し部６６の下端部６６Ａがフロアパネル１０の上面から自重による反力を受け、折れ部６８を中心として折れ部６８が弾性変形しながら、張出し部６６が図７（Ａ）の反時計方向へ回動される。そして、図７（Ｂ）に示されるように、フロアサイレンサ６０をフロアパネル１０の上面に完全に載せると、張出し部側溝部７０Ｂの上端部に形成された蓋部７４が、基部側溝部７０Ａの上端部７６に当接される。
【００５５】
このように本実施形態によっても、前述した第１実施形態と同様の作用並びに効果が得られる。
【００５６】
〔第４実施形態〕
以下、図８を用いて、本発明に係るフロアサイレンサの第４実施形態について説明する。なお、前述した第１実施形態等と同一構成部分については、同一番号を付してその説明を省略する。
【００５７】
図８（Ａ）に示されるように、この第４実施形態に係るフロアサイレンサ８０では、フロアサイレンサ本体８２における車両幅方向中間部がフロアサイレンサ本体８２の板厚方向（車両上下方向）に隆起する隆起部８４が一体に形成されている。なお、この隆起部８４が本発明における「折れ曲がった部分」に相当する。また、図８（Ａ）に成形型８６の下型８６Ａの一部を図示したが、下型８６Ａ自身に隆起部８４を形成するための山形形状の突起８８が形成されている。
【００５８】
そして、この隆起部８４に前述した第３実施形態と同様構成の溝上部７４が開放された長尺材保持部７０が形成されている。なお、この第４実施形態では、長尺材保持部７０の底部中央にノッチによる折れ部６８（第３実施形態）は形成されていないが、ノッチによる折れ部６８を形成しても差し支えない。また、この実施形態では、図８（Ｂ）に示されるように、使用に際しては隆起部８４の両側部８４Ａがいずれも等しい量だけ弾性変形するので、蓋部９０については隆起部８４の両側部８４Ａのそれぞれが備えた構成となっている。
【００５９】
（作用・効果）
上記構成によれば、図８（Ａ）に示される状態がフロアサイレンサ８０の自然状態である。この状態で、ワイヤハーネス１８を長尺材保持部７０に組付ける。その後、フロアパネル１０の上面に、この状態のフロアサイレンサ６０を載置させる。フロアサイレンサ８０がフロアパネル１０の上面に載置されると、フロアサイレンサ本体８２の隆起部８４が弾性変形しながらその自重によりフロアパネル１０の上面側へ接近していき、開いていく。そして、最終的には、図８（Ｂ）に示されるように、フロアサイレンサ８０の自重及びフロアカーペット２２の自重により、フロアサイレンサ本体８２の隆起部８４が平らになり、左右の蓋部９０によって長尺材保持部７０の溝上部７４が閉塞される。
【００６０】
このように本実施形態によっても、前述した第１実施形態等と同様の作用並びに効果が得られる。
【００６１】
なお、上述した実施形態では、長尺材としてワイヤハーネス１８を挙げたが、これに限らず、リヤウォッシャホースやフューエルケーブル等の長尺材としてもよい。
【符号の説明】
【００６２】
１６      フロアサイレンサ
１８      ワイヤハーネス（長尺材）
２４      フロアサイレンサ本体
２６      長尺材保持部
３４      折れ部
３６      張出し部（折れ曲がった部分）
４６      溝上部
５０      フロアサイレンサ
５２      フロアサイレンサ本体
５４      張出し部（折れ曲がった部分）
５６      フロアサイレンサ
６０      フロアサイレンサ
６２      フロアサイレンサ本体
６６      張出し部（折れ曲がった部分）
６８      折れ部
７０      長尺材保持部
７２      溝上部
７４      蓋部
８０      フロアサイレンサ
８２      フロアサイレンサ本体
８４      隆起部（折れ曲がった部分）
９０      蓋部
【図１】
2011240819.tif 000003
【図２】
2011240819.tif 000004
【図３】
2011240819.tif 000005
【図４】
2011240819.tif 000006
【図５】
2011240819.tif 000007
【図６】
2011240819.tif 000008
【図７】
2011240819.tif 000009
【図８】
2011240819.tif 000010